(57)【要約】【課題】より利便性を向上させることができる改札機、券売機、駅務システム、及び改札方法を提供する。【解決手段】改札機１は、磁気乗車券の識別情報を予め記憶し、利用者の所持する磁気乗車券５から少なくとも識別情報を含む乗車券情報を読み取り、読み取った識別情報と一致する識別情報を予め記憶している識別情報から検索する。検索された場合、利用者の所持する携帯可能電子装置２から乗車券情報を読み取り、前記磁気乗車券５から読み取った乗車券情報と前記携帯可能電子装置から読み取った乗車券情報とを併せた乗車券情報に基づいて通行の可否を判定する。【選択図】      図４
2009134629.tif 000002
【特許請求の範囲】
【請求項１】
磁気乗車券の識別情報を予め記憶している記憶手段と、
利用者の所持する磁気乗車券から少なくとも識別情報を含む乗車券情報を読み取る第１の読取手段と、
前記第１の読取手段により読み取った識別情報と一致する識別情報が前記記憶手段により記憶されているか否か検索する検索手段と、
前記検索手段により前記第１の読取手段により読み取った識別情報と一致する識別情報が前記記憶手段から検索された場合、利用者の所持する携帯可能電子装置から乗車券情報を読み取る第２の読取手段と、
前記第１の読取手段により読み取った乗車券情報と前記第２の読取手段により読み取った乗車券情報とを併せた乗車券情報に基づいて通行の可否を判定する併用通行判定処理を行なう併用通行判定手段と、
を具備することを特徴とする改札機。
【請求項２】
前記記憶手段に記憶されている識別情報には組合せ可能な携帯可能電子装置の識別情報が対応付けられており、
前記第２の読取手段は、前記携帯可能電子装置から少なくとも識別情報を含む乗車券情報を読み取り、
前記第２の読取手段により前記携帯可能電子装置から読み取った識別情報が前記検索手段により検索した識別情報に対応付けられているか否か判定する組合せ判定手段をさらに具備し、
前記併用通行判定手段は、前記組合せ判定手段により前記第２の読取手段により前記携帯可能電子装置から読み取った識別情報が前記検索手段により検索した識別情報に対応付けられていると判定した場合、併用通行判定処理を行なうことを特徴とする請求項１に記載の改札機。
【請求項３】
前記第２の読取手段は、前記検索手段により前記読取手段により読み取った識別情報と一致する識別情報が前記記憶手段から検索された場合、利用者の所持する前記携帯可能電子装置の読み取りを一定時間待機することを特徴とする請求項１に記載の改札機。
【請求項４】
前記記憶手段は、通信可能な状態で接続されている上位装置から受信した磁気乗車券の識別情報を記憶していることを特徴とする請求項１に記載の改札機。
【請求項５】
前記記憶手段は、予め記憶している識別情報のうち併用通行判定処理が完了した磁気乗車券の識別情報を削除する手段を具備する請求項１に記載の改札機。
【請求項６】
磁気乗車券を発行するために必要な情報の入力を受け付ける操作入力手段と、
券固有の識別情報を含む情報を符号化したイメージ情報を生成する生成手段と、
前記操作入力手段により入力された情報と前記識別情報とを含む乗車券情報を磁気記憶部に記録し、前記生成手段により生成したイメージ情報を券面に印刷して磁気乗車券を発行する発行手段と、
を具備することを特徴とする券売機。
【請求項７】
改札機と前記改札機と通信可能な上位装置とを具備する駅務システムであって、
前記上位装置は、
利用者の所持する第１の携帯可能電子装置から磁気乗車券の識別情報を受信する受信手段と、
前記受信手段により受信した識別情報を各駅の前記改札機に送信する送信手段と、
を具備し、
前記改札機は、
前記前記送信手段により送信された識別情報を記憶する記憶手段と、
利用者の所持する磁気乗車券から少なくとも識別情報を含む乗車券情報を読み取る第１の読取手段と、
前記読取手段により読み取った識別情報と一致する識別情報が前記記憶手段により記憶されているか否か検索する検索手段と、
前記検索手段により前記読取手段により読み取った識別情報と一致する識別情報が前記記憶手段から検索された場合、利用者の所持する第２の携帯可能電子装置から乗車券情報を読み取る第２の読取手段と、
前記第１の読取手段により読み取った乗車券情報と前記第２の読取手段により読み取った乗車券情報とを併せた乗車券情報に基づいて通行の可否を判定する併用通行判定処理を行なう併用通行判定手段と、
を具備することを特徴とする駅務システム。
【請求項８】
券売機と前記券売機により発行された乗車券を処理する改札機と前記改札機と通信可能な上位装置とを具備する駅務システムであって、
前記券売機は、
磁気乗車券を発行するために必要な情報の入力を受け付ける操作入力手段と、
券固有の識別情報を含む情報を符号化したイメージ情報を生成する生成手段と、
前記操作入力手段により入力された情報と前記識別情報とを含む乗車券情報を磁気記憶部に記録し、前記生成手段により生成したイメージ情報を券面に印刷して磁気乗車券を発行する発行手段と、
を具備し、
前記上位装置は、
利用者の所持する第１の携帯可能電子装置が前記磁気乗車券のイメージ情報を復号化することにより取得した識別情報を当該第１の携帯可能電子装置から受信する受信手段と、
前記受信手段により受信した識別情報を各駅の前記改札機に送信する送信手段と、
を具備し、
前記改札機は、
前記前記送信手段により送信された識別情報を記憶する記憶手段と、
利用者の所持する磁気乗車券から少なくとも識別情報を含む乗車券情報を読み取る第１の読取手段と、
前記読取手段により読み取った識別情報と一致する識別情報が前記記憶手段により記憶されているか否か検索する検索手段と、
前記検索手段により前記読取手段により読み取った識別情報と一致する識別情報が前記記憶手段から検索された場合、利用者の所持する第２の携帯可能電子装置から乗車券情報を読み取る第２の読取手段と、
前記第１の読取手段により読み取った乗車券情報と前記第２の読取手段により読み取った乗車券情報とを併せた乗車券情報に基づいて通行の可否を判定する併用通行判定処理を行なう併用通行判定手段と、
を具備することを特徴とする駅務システム。
【請求項９】
前記生成手段は、前記上位装置のアドレス情報と券固有の識別情報とを含む情報を符号化したイメージ情報を生成することを特徴とする請求項８に記載の駅務システム。
【請求項１０】
磁気乗車券の識別情報を予め記憶し、
利用者の所持する磁気乗車券から少なくとも識別情報を含む乗車券情報を読み取り、
前記読み取った識別情報と一致する識別情報が記憶されているか否か検索し、
前記読み取った識別情報と一致する識別情報が検索された場合、利用者の所持する携帯可能電子装置から乗車券情報を読み取り、
前記磁気乗車券から読み取った乗車券情報と前記携帯可能電子装置から読み取った乗車券情報とを併せた乗車券情報に基づいて通行の可否を判定する、
ことを特徴とする改札方法。
【発明の詳細な説明】
【技術分野】
【０００１】
本発明は、例えば、利用者が所持している乗車券に対して改札処理を行う改札機、券売機、駅務システム、及び改札方法に関する。
【背景技術】
【０００２】
鉄道各社の駅には、各種の駅務処理を行なう駅務機器が設置されている。このような駅務機器では、入場券、定期券、乗車券、ストアードフェアカード（ＳＦカード）などの磁気乗車券である情報記憶媒体に対して種々の処理が行われる。
【０００３】
近年、情報記憶媒体として、駅務機器と無線でデータの送受信を行なうことにより、種々の処理を受けることができるＩＣ（Ｉｎｔｅｇｒａｔｅｄ  Ｃｉｒｃｕｉｔ）を有したＩＣ乗車券などが普及しつつある。また、このＩＣ乗車券の機能を有する携帯端末も普及しつつある。この為、磁気乗車券のみを採用している鉄道会社も、既存の磁気乗車券を処理する改札機や駅務システムに、ＩＣ乗車券を処理する機能を追加したいというニーズが高まっている。
【０００４】
そこで、磁気乗車券を処理する駅務機器に簡単な構成を追加することによりＩＣ乗車券を処理するための機能を追加し、磁気乗車券とＩＣ乗車券との両方を処理することができる駅務システムが提示されている（たとえば、特許文献１参照）。
【０００５】
しかし、上記した従来の駅務システムの改札機では、磁気乗車券またはＩＣ乗車券のいずれかにより処理を受ける。即ち、上記した従来の駅務システムの改札機は、磁気乗車券とＩＣ乗車券との両方を併用して処理することが出来ない。この為、例えば、磁気乗車券により乗り越しをした場合、不足金額をＩＣ乗車券により精算することができず、窓口で処理しなければいけないという問題がある。
【特許文献１】特開２００５−１１５４１８号公報
【発明の開示】
【発明が解決しようとする課題】
【０００６】
本発明の一形態は、上記した問題点を解決するものであり、より利便性を向上させることができる改札機、券売機、駅務システム、及び改札方法を提供することにある。
【課題を解決するための手段】
【０００７】
本発明の一実施形態としての改札機は、磁気乗車券の識別情報を予め記憶している記憶手段と、利用者の所持する磁気乗車券から少なくとも識別情報を含む乗車券情報を読み取る第１の読取手段と、前記第１の読取手段により読み取った識別情報と一致する識別情報が前記記憶手段により記憶されているか否か検索する検索手段と、前記検索手段により前記第１の読取手段により読み取った識別情報と一致する識別情報が前記記憶手段から検索された場合、利用者の所持する携帯可能電子装置から乗車券情報を読み取る第２の読取手段と、前記第１の読取手段により読み取った乗車券情報と前記第２の読取手段により読み取った乗車券情報とを併せた乗車券情報に基づいて通行の可否を判定する併用通行判定処理を行なう併用通行判定手段とを具備する。
【０００８】
また、本発明の一実施形態としての券売機は、磁気乗車券を発行するために必要な情報の入力を受け付ける操作入力手段と、券固有の識別情報を含む情報を符号化したイメージ情報を生成する生成手段と、前記操作入力手段により入力された情報と前記識別情報とを含む乗車券情報を磁気記憶部に記録し、前記生成手段により生成したイメージ情報を券面に印刷して磁気乗車券を発行する発行手段とを具備する。
【０００９】
また、本発明の一実施形態としての駅務システムは、改札機と前記改札機と通信可能な上位装置とを具備する駅務システムであって、前記上位装置は、利用者の所持する第１の携帯可能電子装置から磁気乗車券の識別情報を受信する受信手段と、前記受信手段により受信した識別情報を各駅の前記改札機に送信する送信手段とを具備し、前記改札機は、前記前記送信手段により送信された識別情報を記憶する記憶手段と、利用者の所持する磁気乗車券から少なくとも識別情報を含む乗車券情報を読み取る第１の読取手段と、前記読取手段により読み取った識別情報と一致する識別情報が前記記憶手段により記憶されているか否か検索する検索手段と、前記検索手段により前記読取手段により読み取った識別情報と一致する識別情報が前記記憶手段から検索された場合、利用者の所持する第２の携帯可能電子装置から乗車券情報を読み取る第２の読取手段と、前記第１の読取手段により読み取った乗車券情報と前記第２の読取手段により読み取った乗車券情報とを併せた乗車券情報に基づいて通行の可否を判定する併用通行判定処理を行なう併用通行判定手段とを具備する。
【００１０】
また、本発明の一実施形態としての駅務システムは、券売機と前記券売機により発行された乗車券を処理する改札機と前記改札機と通信可能な上位装置とを具備する駅務システムであって、前記券売機は、磁気乗車券を発行するために必要な情報の入力を受け付ける操作入力手段と、券固有の識別情報を含む情報を符号化したイメージ情報を生成する生成手段と、前記操作入力手段により入力された情報と前記識別情報とを含む乗車券情報を磁気記憶部に記録し、前記生成手段により生成したイメージ情報を券面に印刷して磁気乗車券を発行する発行手段とを具備し、前記上位装置は、利用者の所持する第１の携帯可能電子装置が前記磁気乗車券のイメージ情報を復号化することにより取得した識別情報を当該第１の携帯可能電子装置から受信する受信手段と、前記受信手段により受信した識別情報を各駅の前記改札機に送信する送信手段とを具備し、前記改札機は、前記前記送信手段により送信された識別情報を記憶する記憶手段と、利用者の所持する磁気乗車券から少なくとも識別情報を含む乗車券情報を読み取る第１の読取手段と、前記読取手段により読み取った識別情報と一致する識別情報が前記記憶手段により記憶されているか否か検索する検索手段と、前記検索手段により前記読取手段により読み取った識別情報と一致する識別情報が前記記憶手段から検索された場合、利用者の所持する第２の携帯可能電子装置から乗車券情報を読み取る第２の読取手段と、前記第１の読取手段により読み取った乗車券情報と前記第２の読取手段により読み取った乗車券情報とを併せた乗車券情報に基づいて通行の可否を判定する併用通行判定処理を行なう併用通行判定手段とを具備する。
【００１１】
また、本発明の一実施形態としての改札方法は、磁気乗車券の識別情報を予め記憶し、利用者の所持する磁気乗車券から少なくとも識別情報を含む乗車券情報を読み取り、前記読み取った識別情報と一致する識別情報が記憶されているか否か検索し、前記読み取った識別情報と一致する識別情報が検索された場合、利用者の所持する携帯可能電子装置から乗車券情報を読み取り、前記磁気乗車券から読み取った乗車券情報と前記携帯可能電子装置から読み取った乗車券情報とを併せた乗車券情報に基づいて通行の可否を判定する。
【発明の効果】
【００１２】
この発明の一形態によれば、より利便性を向上させることができる改札機、券売機、駅務システム、及び改札方法を提供することができる。
【発明を実施するための最良の形態】
【００１３】
以下、図面を参照しながら、本発明の一実施形態に係る駅務システムについて詳細に説明する。
【００１４】
図１は、一実施形態に係る駅務システムの概略を示す図である。駅務システムは、鉄道などの交通機関における改札処理を行なう改札機１と、改札機１と通信可能なサーバ３と、改札機１で処理する乗車券を発行する券売機６とから構成されるシステムである。なお、利用者は、磁気乗車券とＩＣ乗車券との両方を所持しているものとする。
【００１５】
改札機１は、駅の改札口などに設置され、改札口で利用者の所持する磁気乗車券５及び携帯可能電子装置としてのＩＣカード２に対して改札処理を行なうものである。駅務システムでは、利用者が所持する磁気乗車券５及びＩＣカード２に記憶されている乗車券情報に基づいて、鉄道などの交通機関の利用を可能とする。
【００１６】
ＩＣカード２は、内部メモリ２ａを有している。ＩＣ乗車券として機能するＩＣカード２の内部メモリ２ａには、鉄道などの交通機関を利用する為の乗車券情報として、識別情報、残額情報、及び乗降履歴などが記憶されている。
【００１７】
ＩＣカード２に記憶されている識別情報は、ＩＣカード固有の情報であり、改札機１などの駅務機器にＩＣカードを識別させるための情報である。残額情報は、料金の精算に利用可能である金額情報である。乗降履歴は、改札を受ける際に記録される乗車と降車の履歴を示す情報である。なお、ＩＣカード２の識別情報は、ＩＣカード２の券面にも印字されているものとする。
【００１８】
磁気乗車券５は、鉄道などの交通機関を利用する為の乗車券情報が磁気情報として記録される磁気式の記録媒体から成る乗車券である。磁気乗車券５は、乗車券情報が記録される磁気層を有する。磁気乗車券５に記録されている乗車券情報は、識別情報、金額情報、及び乗車駅の情報を含む。また、磁気乗車券５の券面には、記録されている乗車券情報と同様の情報が印字されている。さらに、磁気乗車券５の券面には、磁気乗車券５に記録されている乗車券情報の識別情報などの情報が暗号化（符号化）されて二次元コードに変換されたイメージ５ａが印刷されている。
【００１９】
磁気乗車券５に記憶されている識別情報は、磁気乗車券固有の情報であり、改札機１などの駅務機器に磁気乗車券を識別させるための情報である。金額情報は、利用者が乗車券を購入する為に支払った対価を示す情報であり、料金の精算に利用可能である金額である。乗車駅の情報は、磁気乗車券が発行された駅を示す情報である。
【００２０】
サーバ３は、電鉄会社の管理センタなどに設置されている。サーバ３は、利用者の所持する携帯端末４と通信を行ない、改札処理の為の情報を携帯端末４から受信することができる。また、サーバ３は、各駅に設置されている改札機１と通信可能であり、改札処理に関する情報を各改札機１に配信することができる。
【００２１】
携帯端末４は、利用者の所持する携帯電話などの端末であり、インターネットを介して駅務システムのサーバ３とデータの通信を行なうことができる。また、携帯端末４は、磁気乗車券のイメージ５ａを撮像し、イメージ５ａの元の情報内容を認識することが出来る。
【００２２】
券売機６は、各駅などに設置され、利用者の操作に応じて、利用者から金額を受け取りＩＣカード２、若しくは磁気乗車券５などの乗車券を新規に発行したり、ＩＣカード２に記録されている情報を更新したりするものである。
【００２３】
なお、改札機１及び券売機６などの駅務機器は、図１に示す駅（駅Ｂ、駅Ｃ・・・）にも設置され、駅務システム全体を構成している。
【００２４】
図２は、図１に示す券売機６の構成例を示すブロック図である。  
図２に示すように、券売機６は、制御部６１、表示部６２、操作入力部６３、ＩＣリーダライタ６４、受取部６５、及び発行部６６などを有している。
【００２５】
制御部６１は、券売機６全体の制御を司るものである。制御部６１は、ＣＰＵ、ＣＰＵの作業領域として機能するバッファメモリ、ＣＰＵが実行する種々のプログラムや制御データなどが記憶されているプログラムメモリなどから構成される。制御部６１では、ＣＰＵがプログラムを実行することにより種々の機能を実現している。
【００２６】
表示部６２は、各種の処理結果、購入することができる乗車券の一覧、および、利用者への案内表示などを表示する表示装置などから構成されている。操作入力部６３は、ＩＣカード２及び磁気乗車券５などの乗車券を発行するために必要な情報の入力を受け付ける操作入力手段であり、利用者による操作入力を受け付けるものである。ここでは、表示部６２、および、操作入力部６３は、タッチパネル内蔵の表示装置により構成されるものとする。
【００２７】
ＩＣリーダライタ６４は、利用者が所持するＩＣカード２に対して処理を行なうものである。ＩＣリーダライタ６４は、カードスロット（図示せず）を有しており、カードスロット内にさらにＩＣカード２と無線通信を行なう為のアンテナを有している。ＩＣカードスロットにＩＣカード２が挿入されると、ＩＣリーダライタ６４は、挿入されたＩＣカード２に対してアンテナにより無線通信を行い、制御部６１からの指示に基づいて、ＩＣカード２の記憶内容を読み取ったり、データを書き込んだりする。
【００２８】
受取部６５は、ＩＣカード２及び磁気乗車券５などの乗車券を購入する為に必要な対価を受け取り、券売機６に投入された紙幣、もしくは、硬貨の種類を判別し、投入されている貨幣の金額の総額を算出するものである。制御部６１は、受取部６５に投入された金額に基づいて、表示部６２により、購入可能な乗車券がタッチパネルにより選択可能な状態で表示する。
【００２９】
発行部６６は、操作入力部６３により入力された情報と券固有の識別情報とに基づく乗車券情報を乗車券本体に記録してＩＣカード２及び磁気乗車券５などの乗車券を発行する発行手段である。即ち、発行部６６は、ＩＣカード２を発行する場合、券固有の識別情報と運賃の精算に利用する為に投入された貨幣の金額の情報である残額情報とを乗車券情報としてＩＣカード２に書き込む。また、発行部６６は、磁気乗車券５を発行する場合、操作入力部６３により入力された情報（運賃）と券固有の識別情報と券売機６が設置されている駅の情報である発券駅の情報とを乗車券情報として磁気乗車券５の磁気記憶部（磁気層）に書き込む。
【００３０】
さらに、発行部６６は、磁気乗車券５を発行する場合、所定の情報（運賃、発券駅、及び識別情報など）を券面に印字する。またさらに、制御部６１は、生成手段として機能し、磁気乗車券５を発行する場合、磁気乗車券５の識別情報と、識別情報の送信先であるサーバ３のＵＲＬ（Ｕｎｉｆｏｒｍ  Ｒｅｓｏｕｒｃｅ  Ｌｏｃａｔｏｒ）などのアドレス情報とを暗号化（符号化）し２次元コード（イメージ情報）を生成する。発行部６６は、生成した２次元コードをイメージ５ａとして券面に印字し、磁気乗車券５を発行する。
【００３１】
図３は、図２に示す券売機６により発行された磁気乗車券５の例を示す図である。  
磁気乗車券５は、種々の情報が印字される軟質紙と磁気情報が記録される磁気層とが積層されて矩形状に形成されている。
【００３２】
図３に示すように、磁気乗車券５の券面には、発駅情報５１、利用可能区間を示す運賃情報５２、及び磁気乗車券５固有の識別情報５３が印字されている。また、磁気乗車券５の識別情報と、識別情報の送信先であるサーバ３のＵＲＬとが暗号化された２次元コードであるイメージ５ａが券面に印字されている。
【００３３】
発駅情報５１は、磁気乗車券５を発行した券売機６が設置されている駅を示す情報であり、改札処理における乗車駅を示す。運賃情報５２は、磁気乗車券５を購入するために利用者が支払った対価であり、改札処理において支払うことができる運賃の金額を示す。識別情報５３は、磁気乗車券５固有の識別情報であり、各種の駅務機器に磁気乗車券５を識別させるものである。
【００３４】
イメージ５ａは、例えばＱＲ（Ｑｕｉｃｋ  Ｒｅｓｐｏｎｓｅ）コード（登録商標）などにより実現される２次元コードである。２次元コードは、そのイメージの縦方向及び横方向に情報を持っているため、バーコードに比べて格納できる情報量が多い。２次元バーコードは、数字だけでなく英字または漢字などのデータを格納することが出来る。図１に示す携帯端末４は、２次元コードを撮像し、２次元コードに格納されているデータを取得することができる。ここでは、イメージ５ａには、磁気乗車券５の識別情報と、識別情報の送信先であるサーバ３のＵＲＬが暗号化されて格納されている。
【００３５】
図４は、図１に示す駅務システムの各構成の例を示すブロック図である。  
図４に示すように、携帯端末４は、制御部４１、操作入力部４２、表示部４３、読取部４４、及び通信部４５などを有している。  
制御部４１は、携帯端末４全体の制御を司るものである。制御部４１は、ＣＰＵ、ＣＰＵの作業領域として機能するバッファメモリ、ＣＰＵが実行する種々のプログラムや制御データなどが記憶されているプログラムメモリなどから構成される。制御部４１では、ＣＰＵがプログラムを実行することにより種々の機能を実現している。
【００３６】
操作入力部４２は、携帯端末４の操作者（利用者）の操作入力を携帯端末４の各部の動作に反映させる為のインターフェースである。表示部４３は、液晶ディスプレイなどの表示装置により構成され、制御部４１による制御に基づいて種々の画面を表示させる。読取部４４は、ＣＭＯＳセンサ若しくはＣＣＤイメージセンサなどの撮像素子と画像処理回路とから構成され、対象物を撮像することにより画像を取得することができる。また、制御部４１は、読取部４４により取得した２次元コードを含む画像から、２次元コードに暗号化されて格納されている情報を認識することができる。通信部４５は、図示しないアンテナを有する。制御部４１は、通信部４５によりインターネットなどを介して、サーバ３と通信できる。
【００３７】
携帯端末４は、磁気乗車券５のイメージ５ａを撮像し、イメージ５ａに格納されている磁気乗車券５の識別情報と、識別情報の送信先であるサーバ３のＵＲＬとを取得する。また、携帯端末４は、利用者にＩＣカード２の券面に印字されているＩＣカード２の識別情報を操作入力部４２により入力させる。携帯端末４は、取得したＵＲＬに基づいて、取得した磁気乗車券５の識別情報と、利用者により入力されたＩＣカード２の識別情報とを対応付けてサーバ３に送信する。
【００３８】
図４に示すように、サーバ３は、制御部３１、及び通信部３２などを有している。また、サーバ３は、図示しない記憶部を備えている。  
制御部３１は、サーバ３全体の制御を司るものである。制御部３１は、ＣＰＵ、ＣＰＵの作業領域として機能するバッファメモリ、ＣＰＵが実行する種々のプログラムや制御データなどが記憶されているプログラムメモリなどから構成される。制御部３１では、ＣＰＵがプログラムを実行することにより種々の機能を実現している。
【００３９】
通信部３２は、改札機１及び利用者の所持する携帯端末４と通信を行なうものである。通信部３２は、ＬＡＮなどにより改札機１と接続されており、種々の情報を改札機１から受信する。また、通信部３２は、インターネットに接続するためのインターフェースを有し、利用者の所持する携帯端末４とインターネットを介してデータの送受信を行なうことができる。これにより、制御部３１は、通信部により携帯端末４から受信した改札処理に関する情報を記憶部に一時的に記憶し、記憶した改札処理に関する情報を各駅の改札機１に送信することができる。即ち、サーバ３は、携帯端末４から受信した磁気乗車券５の識別情報とＩＣカード２の識別情報とを各駅の改札機１に配信することができる。
【００４０】
図４に示すように、改札機１は、制御部１１、磁気券処理部１２、ＩＣカード処理部１３、メモリ１６、通信部１７、通行制御部１８、及び表示部１９などを有している。  
制御部１１は、改札機１全体の制御を司るものである。制御部１１は、ＣＰＵ、ＣＰＵの作業領域として機能するバッファメモリ、ＣＰＵが実行する種々のプログラムや制御データなどが記憶されているプログラムメモリなどから構成される。制御部１１では、ＣＰＵがプログラムを実行することにより種々の機能を実現している。
【００４１】
磁気券処理部１２は、磁気乗車券５の読取手段として機能し、利用者が所持する乗車券としての磁気乗車券５を処理するものである。磁気券処理部１２は、例えば、利用者から投入される磁気乗車券５を搬送する搬送部、搬送部により搬送される磁気乗車券５から乗車券情報を読み取る磁気読取部、搬送部により搬送される磁気乗車券５に対して磁気情報を書込む磁気書込部などを有する。
【００４２】
ＩＣカード処理部１３は、利用者が所持するＩＣカード２を処理するものである。ＩＣカード処理部１３は、送受信部１４を有している。送受信部１４は、例えば、アンテナなどで構成され、ＩＣカード２との電波の送受信を行なうためのものである。送受信部１４は、アンテナからの電波が届く範囲である送受信可能エリア１５内に存在するＩＣカードを検知し、通信を行なう。即ち、ＩＣカード処理部１３は、読取手段として機能し、制御部１１からの指示に基づいて、送受信部１４を介して送受信可能エリア１５内に存在するＩＣカード２から乗車券情報を読み取る。
【００４３】
また、ＩＣカード処理部１３は、ＩＣカード２に対してデータを書き込む書込処理を行なう。ＩＣカード処理部１３は、書込処理を行なう際、ＩＣカード２からデータの書き込み完了を示すコマンドを受信したか否かに基づいて、書込処理が完了したか否かを判定する。
【００４４】
メモリ１６は、精算処理に必要な運賃情報などを記憶している。また、メモリ１６は、サーバ３から受信した改札処理に関する情報を記憶する記憶手段として機能する。即ち、メモリ１６は、利用者の所持している磁気乗車券５及びＩＣカード２の識別情報を蓄積している。なお、メモリ１６に記憶されている磁気乗車券５の識別情報は、後述する併用通行判定処理の対象となる磁気乗車券５の識別情報である。通信部１７は、サーバ３とデータの通信を行なう為の外部通信ユニットである。
【００４５】
通行制御部１８は、利用者の通行を制御するものである。通行制御部１８は、例えば、利用者の通行を阻止するドア（図示せず）、このドアを制御するドア開閉機構（図示せず）などから構成されている。また、改札機１は、当該改札機１内を通過する人を検知するセンサ（図示せず）を有している。通行制御部１８は、センサの検知結果に基づいてドアの開閉のタイミングを制御している。表示部１９は、利用者への案内表示などを表示する表示装置などから構成されている。
【００４６】
次に制御部１１が有している種々の機能について説明する。  
制御部１１は、磁気券処理部１２またはＩＣカード処理部１３により読み取った磁気乗車券５またはＩＣカード２に記憶されている乗車券情報を読み取る処理を行なう。読み取った乗車券が磁気乗車券５である場合、制御部１１は、磁気乗車券５から読み取った識別情報と一致する識別情報をメモリ１６から検索する検索手段として機能する。即ち、制御部１１は、磁気券処理部１２により読み取った磁気乗車券５の識別情報と一致する識別情報がメモリ１６に記憶されている場合、磁気乗車券５が併用通行判定処理の対象であると判定する。なお、ＩＣカード２及び併用通行判定処理の対象となっていない磁気乗車券５には、通常の改札処理が行なわれる。
【００４７】
読み取った磁気乗車券５が併用通行判定処理の対象である場合、制御部１１は、ＩＣカード処理部１３を制御し、ＩＣカード２を読み取る。制御部１１は、磁気乗車券５から読み取った乗車券情報と、ＩＣカード２から読み取った乗車券情報とを併せた乗車券情報に基づいて利用者の改札機１の通行を判定する併用通行判定処理を行なう併用通行判定手段として機能する。
【００４８】
即ち、ＩＣカード２を読み取ると、制御部１１は、ＩＣカード２から読み取った識別情報が、メモリ１６から検索した識別情報に対応付けられているか否か判定する。即ち、制御部１１は、磁気乗車券５とＩＣカード２との組合せが正しい組合せであるか否かを判定する組合せ判定手段として機能する。ＩＣカード２から読み取った識別情報が、メモリ１６から検索した識別情報に対応付けられている場合、制御部１１は、磁気乗車券５から読み取った乗車券情報に基づいて運賃を算出し、磁気乗車券５の金額情報の金額が運賃に足るか否か判定する。ここで、磁気乗車券５の金額情報の金額が運賃に足りず、不足金額が生じる場合、制御部１１は、ＩＣカード２から読み取った乗車券情報の残額情報の金額が不足金額に足るか否か判定する。
【００４９】
ＩＣカード２の残額情報の金額が不足金額に足る場合、利用者の改札機１の通行を可と判定する。この場合、制御部１１は、不足金額をＩＣカード２の残額情報の金額から引き去り、引き去り後の金額を残額情報としてＩＣカード２に書き込む書込手段として機能する。なお、制御部１１は、併用通行判定処理を行なった場合、併用通行判定処理に用いた識別情報をメモリ１６から削除する。
【００５０】
図５は、図４に示す駅務システムの各構成における処理を説明するためのシーケンスである。  
本実施形態に関わる駅務システムを利用する場合、携帯端末４は、利用者の操作入力に基づいて磁気乗車券５のイメージ５ａを撮像し、二次元コードを読み取る（ステップＳ１１）。携帯端末４は、読み取った二次元コードを解析し、二次元コードに格納されている磁気乗車券５の識別情報、及びサーバ３のＵＲＬを取得する（ステップＳ１２）。携帯端末４は、利用者にＩＣカード２の券面に印字されているＩＣカード２の識別情報を操作入力部４２により入力させ、ＩＣカード２の識別情報を取得する（ステップＳ１３）。携帯端末４は、取得したサーバ３のＵＲＬに基づいて、取得した磁気乗車券５の識別情報と、ＩＣカード２の識別情報とをサーバ３に送信する（ステップＳ１４）。
【００５１】
サーバ３は、携帯端末４から磁気乗車券５の識別情報と、ＩＣカード２の識別情報とを受信すると（ステップＳ１５）、受信した磁気乗車券５の識別情報と、ＩＣカード２の識別情報とを、サーバ３に接続されている各駅の複数の改札機１に送信する（ステップＳ１６）。
【００５２】
改札機１は、サーバ３から磁気乗車券５の識別情報と、ＩＣカード２の識別情報とを受信すると（ステップＳ１７）、受信した磁気乗車券５の識別情報と、ＩＣカード２の識別情報とを、併用通行判定処理を行なう対象の乗車券の識別情報であるとして、メモリ１６に保存する（ステップＳ１８）。
【００５３】
次に、改札機１での改札処理について詳細に説明する。  
図６は、図４に示す改札機１において実行される改札処理を説明するフローチャートである。  
まず、利用者が磁気乗車券５を改札機１の磁気券処理部１２に投入すると、改札機１の制御部１１は、磁気読取部により磁気乗車券５に記録されている識別情報、金額情報、および発駅情報などの乗車券情報を読み取る（ステップＳ２１）。
【００５４】
磁気乗車券５を読み取ると、制御部１１は、磁気乗車券５から読み取った識別情報と一致する識別情報をメモリ１６から検索し、磁気乗車券５が併用通行判定処理の対象である磁気乗車券であるか否かを判定する（ステップＳ２２）。即ち、制御部１１は、磁気券処理部１２により読み取った磁気乗車券５の識別情報と一致する識別情報がメモリ１６に記憶されている場合、磁気乗車券５が併用通行判定処理の対象であると判定する。
【００５５】
読み取った磁気乗車券５が併用通行判定処理の対象である場合（ステップＳ２２、ＹＥＳ）、制御部１１は、ＩＣカード処理部１３を制御し、ＩＣカード２の読み取りを待つ状態となる（ステップＳ２３）。ここで、制御部１１は、ＩＣカード２の読み取りを待つ状態となって一定時間経過した場合、ＩＣカード２の読み取りは無かったと判定する。
【００５６】
ＩＣカード処理部１３によりＩＣカード２を読み取った場合（ステップＳ２３、ＹＥＳ）、制御部１１は、ＩＣカード２から読み取った識別情報が、メモリ１６から検索した識別情報に対応付けられているか否か判定することにより、磁気乗車券５とＩＣカード２とが正しい組合せであるか否か判定する（ステップＳ２４）。
【００５７】
磁気乗車券５とＩＣカード２とが正しい組合せであると判定した場合（ステップＳ２４、ＹＥＳ）、制御部１１は、併用通行判定処理を行なう（ステップＳ２５）。即ち、制御部１１は、磁気乗車券５から読み取った乗車券情報に基づいて運賃を算出し、磁気乗車券５の金額情報の金額が運賃に足るか否か判定する。ここで、磁気乗車券５の金額情報の金額が運賃に足りず、不足金額が生じる場合、制御部１１は、ＩＣカード２から読み取った乗車券情報の残額情報の金額が不足金額に足るか否か判定する。即ち、制御部１１は、ＩＣカード２の残額情報の金額が不足金額に足る場合、併用通行判定ＯＫと判定する。
【００５８】
ＩＣカード２の残額情報の金額が不足金額に足る場合（ステップＳ２５、ＹＥＳ）、制御部１１は、不足金額をＩＣカード２の残額情報の金額から引き去り、引き去り後の金額を残額情報としてＩＣカード２に書き込む（ステップＳ２６）。制御部１１は、利用者の改札機１の通行を可と判定し（ステップＳ２７）、通行制御部１８を制御して図示しない開閉扉を開き、利用者の通行を促し、次の乗車券の投入を待つ状態となる。この場合、制御部１１は、併用通行判定処理に用いた識別情報をメモリ１６から削除する。
【００５９】
なお、ステップＳ２２において、読み取った磁気乗車券５が併用通行判定処理の対象でないと判定した場合（ステップＳ２２、ＮＯ）、若しくは、ステップＳ２３において、ＩＣカード２の読み取りは無かったと判定した場合（ステップＳ２３、ＮＯ）、制御部１１は、従来通りの通行判定処理を磁気乗車券５に対して行なう。
【００６０】
また、ステップＳ２４において、磁気乗車券５とＩＣカード２とが正しい組合せではないと判定した場合（ステップＳ２４、ＮＯ）、ステップＳ２５において、ＩＣカード２の残額情報の金額が不足金額に足りないと判定した場合（ステップＳ２５、ＮＯ）、若しくは、ステップＳ２８において、通常通行判定がＮＧである場合（ステップＳ２８、ＮＯ）、制御部１１は、利用者の改札機１の通行を不可と判定し（ステップＳ２９）、通行制御部１８を制御して図示しない開閉扉を閉じ、利用者の通行を阻止する。
【００６１】
上述したように、本発明の一実施形態によると、携帯端末により利用者の所持している磁気乗車券に印刷されている二次元コードを撮像し、磁気乗車券の識別情報を取得する。また、携帯端末により利用者の所持している乗車券としてのＩＣカードの識別情報を入力操作に基づいて取得し、取得した磁気乗車券及びＩＣカードの識別情報をサーバに送信する。サーバは、受信した磁気乗車券及びＩＣカードの識別情報を対応付けて各駅の改札機に配信する。改札機は受信した磁気乗車券及びＩＣカードの識別情報を記憶しておく。改札機は、磁気乗車券を読み取った場合、磁気乗車券から読み取った識別情報と一致する識別情報を記憶しているか検索し、検索した識別情報に対応付けられているＩＣカードの識別情報を有するＩＣカードを読み取る。改札機は、磁気乗車券の乗車券情報に基づく改札処理において生じた不足金額について、ＩＣカードの残額情報に対して改札処理を行なう。
【００６２】
上記したように、併用通行判定処理を行なう磁気乗車券の識別情報を記憶しておくことにより、乗り越しなどにより改札機を通行できない場合、新幹線乗車券のように通常改札機を通行できない場合であっても、利用者があわせて所持している乗車券としてのＩＣカードに改札処理を移行することができる。この結果として、より利便性を向上させることができる改札機、券売機、駅務システム、及び改札方法を提供することができる。
【００６３】
なお、この発明は、上記実施形態そのままに限定されるものではなく、実施段階ではその要旨を逸脱しない範囲で構成要素を変形して具現化できる。また、上記実施形態に開示されている複数の構成要素の適宜な組み合わせにより、種々の発明を形成できる。例えば、実施形態に示される全構成要素から幾つかの構成要素を削除してもよい。更に、異なる実施形態に亘る構成要素を適宜組み合わせてもよい。
【００６４】
本実施形態では携帯可能電子装置はＳＦデータなどを記憶したＩＣカードとして説明した。しかし、ＩＣ乗車券としての携帯可能電子装置は、これに限らず、例えば乗車券情報を記憶する機能と改札機と無線通信を行なう機能とを有する携帯端末であっても本発明は適用され得る。なお、上記した実施形態においてＩＣカードの識別情報を入力してサーバ３に送信する構成としたが、ＩＣ乗車券と携帯端末４とが一体に形成されている場合、識別情報が携帯端末４のメモリ内に記憶されているため、利用者に識別情報を入力させる必要がなくなる。
【００６５】
また、上記の実施形態では、２次元コードとしてＱＲコードを例に挙げたが、その他の２次元コード、例えばスタックトバーコード（Ｓｙｍｂｏｌ社（米国）より発表）、Ｖｅｒｉｃｏｄｅ（ＶＥＲＩＴＥＣ社（米国）より発表）、Ｄａｔａ Ｍａｔｒｉｘ（ＩＤ．ＭＡＴＲＩＸ社（米国）より発表）等を用いてもよいことはいうまでもない。また、コード化すべき情報の情報量が少なければ、２次元コードでなく、旧来のバーコードを用いてもよい。
【００６６】
またさらに、上記の実施形態では、携帯可能電子装置の識別情報を利用者に入力させる構成としたが、ＩＣカードに識別情報を暗号化した二次元コードを印刷しておき、携帯端末によりＩＣカードに印刷された二次元コードを読み取ることにより携帯可能電子装置の識別情報を取得するようにしてもよい。
【図面の簡単な説明】
【００６７】
【図１】一実施形態に係る駅務システムの概略を示す図。
【図２】図１に示す券売機の構成の例を示すブロック図。
【図３】図１に示す磁気乗車券の例を説明するための説明図。
【図４】図１に示す駅務システムの各構成の例を示すブロック図。
【図５】図４に示す駅務システムの各構成における処理を説明するためのシーケンス。
【図６】図４に示す改札機において実行される改札処理を説明するためのフローチャート。
【符号の説明】
【００６８】
１…改札機、２…ＩＣカード、２ａ…内部メモリ、３…サーバ、４…携帯端末、５…磁気乗車券、５ａ…イメージ、６…券売機、１１…制御部、１２…磁気券処理部、１３…ＩＣカード処理部、１４…送受信部、１５…送受信可能エリア、１６…メモリ、１７…通信部、１８…通行制御部、１９…表示部、３１…制御部、３２…通信部、４１…制御部、４２…操作入力部、４３…表示部、４４…読取部、４５…通信部、６１…制御部、６２…表示部、６３…操作入力部、６４…ＩＣリーダライタ、６５…受取部、６６…発行部。
【図１】
2009134629.tif 000003
【図２】
2009134629.tif 000004
【図３】
2009134629.tif 000005
【図４】
2009134629.tif 000006
【図５】
2009134629.tif 000007
【図６】
2009134629.tif 000008